(57)【要約】【課題】容器胴部となる部分にバリア性を備えたフィルムを配して容器を成形するに際し、フィルムの端部の継ぎ合わせ部分のガスバリア性を確保して、薄肉の多層容器の成形に適用できる技術にてバリア性が良好な薄肉の多層容器を得る。【解決手段】容器胴部となる部分にバリア性を備えたフィルムを配して容器を成形するに際し、射出成形ノズル９から成形金型８の容器胴部形成部分１２に向けて容器表層用樹脂の送り込みと共に、ガスバリア性樹脂を、容器表層用樹脂でのコア型１０側に沿って広がる部分とキャビティ型１１側に沿って広がる部分との間の中間層部分であってラベルフィルム４の合わせ目５に対応する位置に帯状にして送り込みをする。【選択図】図５
2016215538.tif 000002
【特許請求の範囲】
【請求項１】
カップ状容器の成形金型における容器胴部形成部分のキャビティ型側に、カップ状容器の胴部を回る大きさのガスバリア性を有するラベルフィルムを配し、前記成形金型の容器底部形成部分にノズルゲートを臨ませた射出成形ノズルにより樹脂を射出して、前記ラベルフィルムの容器内方側に樹脂を送り込んでラベルフィルムと樹脂とを一体とするインモールド成形により、カップ状にしてガスバリア性のある多層成形容器を製造するにあたり、
前記射出成形ノズルから成形金型の容器胴部形成部分に向けて容器表層用樹脂を送り込むときに、この容器表層用樹脂の送り込みと共に、ガスバリア性樹脂を、容器表層用樹脂でのコア型側に沿って広がる部分とキャビティ型側に沿って広がる部分との間の中間層部分であって前記ラベルフィルムの合わせ目に対応する位置に帯状にして送り込みをし、
前記容器胴部形成部分に向けたガスバリア性樹脂の送り込みをした後、射出成形ノズルから成形金型の容器底部形成部分に向けて容器表層用樹脂の送り込みと共に、前記ガスバリア性樹脂を、容器表層用樹脂での前記中間層部分であって面状にして送り込んで、
容器胴部におけるラベルフィルムの合わせ目の容器内方側に前記ガスバリア性樹脂からなる縦帯状のガスバリア層を備え、容器底部に前記縦帯状のガスバリア層に連続し面状のガスバリア層を備える容器を形成することを特徴とするカップ状容器の製造方法。
【請求項２】
上記射出成形ノズルは、ノズルゲートを先端部としてバルブピンが移動可能に配されたピン通路を備え、
前記ピン通路には、ノズルゲートに近い最先端位置に上記容器表層用樹脂の第一の樹脂吐出口が臨むとともに、前記第一の樹脂吐出口よりノズルゲートとは反対側となる後方位置に容器表層用樹脂の第二の樹脂吐出口が臨み、前記容器表層用樹脂の二つの樹脂吐出口の間となる中間位置に上記ガスバリア性樹脂の樹脂吐出口が臨んでいて、前記バルブピンにより、前記容器表層用樹脂の二つの樹脂吐出口とガスバリア性樹脂の樹脂吐出口とにおける閉鎖と開放とが可能とされ、
バルブピンは、このバルブピンの外面にしてバルブピンの先端に及ぶ溝を有しているとともに、このバルブピンの外面に開口の連通孔からバルブピンの先端に位置する吐出口に亘る連通路を有しており、
バルブピンがノズルゲート閉鎖位置から後退し、バルブピンの前記溝がガスバリア性樹脂の樹脂吐出口に対応してこのガスバリア性樹脂の樹脂吐出口が溝を介して開放されるときに、バルブピンが前記第一の樹脂吐出口の後方に位置していてこの第一の樹脂吐出口が開放されるとともに、バルブピンの前記連通路の連通孔が前記第二の樹脂吐出口に対応していてこの第二の樹脂吐出口が開放されるように設けられていて、
前記第一の樹脂吐出口の開放で、第一の樹脂吐出口からの容器表層用樹脂が上記キャビティ型側に流れる樹脂流路が形成され、
前記溝によるガスバリア性樹脂の樹脂吐出口の開放で、ガスバリア性樹脂が前記溝に案内されて線状にして上記ラベルフィルムの合わせ目に対応する部分に流れる樹脂流路が形成され、
前記第二の樹脂吐出口の開放で、前記連通路に案内されて第二の樹脂吐出口からの容器表層用樹脂が上記コア型側に流れる樹脂流路が形成される構成とした請求項１に記載のカップ状容器の製造方法。
【請求項３】
上記射出成形ノズルのバルブピンを、ノズルゲート閉鎖位置から上記溝がガスバリア性樹脂の樹脂吐出口に対応する位置まで後退させて、上記第一の樹脂吐出口を開放し、上記第二の樹脂吐出口を上記連通路を介して開放し、前記ガスバリア性樹脂の樹脂吐出口を溝を介して開放して、第一の樹脂吐出口から上記キャビティ型側に向けての容器表層用樹脂の送り込みと、第二の樹脂吐出口から上記コア型側に向けての容器表層用樹脂の送り込みと、ガスバリア樹脂の樹脂吐出口から上記ラベルフィルムの合わせ目に対応する部分に向けての前記溝に案内されるガスバリア性樹脂の送り込みとを行なって、成形金型の容器胴部形成部分において、コア型側の容器表層用樹脂とキャビティ型側の容器表層用樹脂との間の中間層となる部分にあって、ラベルフィルムの合わせ目に対応する位置に前記ガスバリア性樹脂からなる縦帯状のガスバリア層を配した容器胴部を形成する第一ステップと、
前記第一ステップによる容器胴部形成部分に対応する樹脂量の送り込みが終了した後に、前記バルブピンを、溝がガスバリア樹脂の樹脂吐出口に対応している位置から第二の樹脂吐出口の後位に後退させて、第一の樹脂吐出口と上記第二の樹脂吐出口とを開放するとともに、前記ガスバリア性樹脂の樹脂吐出口を開放して、第一の樹脂吐出口からキャビティ型側に向けての容器表層用樹脂の送り込みと、第二の樹脂吐出口からコア型側に向けての容器表層用樹脂の送り込みと、ガスバリア樹脂の前記容器表層用樹脂二層の間への送り込みとを行なって、成形金型の容器底部形成部分において、コア型側の容器表層用樹脂とキャビティ型側の容器表層用樹脂との間の中間層となる部分に、前記ガスバリア性樹脂からなり前記縦帯状のガスバリア層に連続する面状のガスバリア層を配した容器底部を形成する第二ステップと、
成形金型の容器底部形成部分への樹脂の送り込みが終了した後に、バルブピンを前進させて第一、第二の樹脂吐出口と、ガスバリア樹脂の樹脂吐出口とをバルブピンにて閉鎖する第三のステップと
を経て、少なくとも三層の樹脂層からなる多層のカップ状容器を製造する請求項２に記載のカップ状容器の製造方法。
【発明の詳細な説明】
【技術分野】
【０００１】
本発明は、ガスバリア性を有するラベルフィルムを容器胴回りに配した状態にして射出成形にてガスバリア性を備えるカップ状容器を製造する方法に関するものである。
【背景技術】
【０００２】
合成樹脂材からなる容器には、この容器に目的とする機能を有するようにするために種類の異なる二種の樹脂を利用して多層構成の容器としたり、目的とする機能を備えたフィルムを容器の外表面側に設けるようにした容器があり、多層構成の容器としては、一方の樹脂を容器表層用として二層（容器の内表面側の層と外表面側の層）にするとともに、他方の樹脂を前記二層の間となる中間層用の樹脂として同じく層状にしていて、目的とする機能を発現する樹脂を容器中間層用の樹脂にし、これを容器表層用の樹脂の層でサンドイッチするように成形している。また、フィルムを容器の外表面に設けた容器にあっては、その目的とする機能を備えたフィルムをインモールド成形法により容器の外表面側に位置させているものである。
【０００３】
例えば、特許文献１にあっては、一つの射出成形ノズルから表面層形成樹脂と酸素バリア性樹脂と接着用樹脂とを射出し、前記酸素バリア性樹脂からなる層が中間層として形成されるように多層成形した容器が示されている。また、特許文献２にあっては、複数の射出成形機から送り込まれる樹脂を混練部材（トーピード）で層状に混合して、成形金型へ送り込むことで容器表層用樹脂の二層の間に酸素バリア性の樹脂層を中間層として形成する多層成形の容器が示されている。また、特許文献３にあっては、容器の外面となる側から内面となる側にかけてポリオレフィン系樹脂層、ガスバリア性樹脂層、ポリオレフィン系樹脂層となるように樹脂を射出成形ノズルから送り出して多層構成の容器を得るようにした点が示されている。
【０００４】
さらにインモールド成形によるものとして特許文献４、５において示されていて、この特許文献４、５では、成形金型の容器胴部形成部分おいての容器胴部の外表面側となる部分或いは内表面側となる部分にフィルムや金属箔を配して樹脂を射出するとともに、容器底部形成部分での成形に際してガスバリア性や遮光性を備えた合成樹脂を容器本体を成形する合成樹脂と共に射出する点が示されている。
【先行技術文献】
【特許文献】
【０００５】
【特許文献１】特開平０４−０３１０１８号公報
【特許文献２】実開平０５−０２６３４０号公報
【特許文献３】特開２００８−３０７８４６号公報
【特許文献４】特開２００６−０５６５５９号公報
【特許文献５】特許第５０５０６７９号公報
【発明の概要】
【発明が解決しようとする課題】
【０００６】
ところで容器業界では容器の軽量化とコスト低減化の観点から容器の薄肉化が進められてきている。しかしながら、中間層を備える多層容器では薄肉化を図りながら中間層を容器全体に均一に形成することは技術的に困難であり、かつ多量生産のために安定性が求められる容器の量産技術としては、薄肉化を条件とする多層成形は採用し難いというのが現状である。
【０００７】
なお、多層成形による類似の成形品として多層プリフォーム（特許第４９５３１７８号公報参照）も知られているが、プリフォーム自体は厚肉の成形品であり、延伸ブローなどにより引き伸ばされることで最終的な容器の厚さとして薄肉にされるものであり、直接に多層容器を射出成形する薄肉の多層成形技術にそのまま適用できるものではない。
【０００８】
一方、近年では、特許文献４、５に示されているように容器の外装としてガスバリア性を有するフィルムを容器本体の成形樹脂と一体化することで、ガスバリア性や遮光性を高めることが行なわれていて、フィルムを一体化させることが困難な容器の底部の部分のみに、ガスバリア層をガスバリア性を有する樹脂で成形する技術が適用されている。
【０００９】
しかし、容器胴部の周面にフィルムを巻くようにして一体化する場合、必然的にフィルムの端部同士の貼り合わせ面が必要となり、貼り合わせ面の厚さや重なり具合によって、その貼り合わせ部分でのガスバリア性を設定通りのものにすることが難しいという問題がある。
【００１０】
そこで本発明は上記事情に鑑み、容器胴部となる部分にバリア性を備えたフィルムを配して容器を成形するに際し、容器胴部におけるフィルムの端部の継ぎ合わせ部分のガスバリア性が確保されるようにすることを課題とし、薄肉の多層容器の成形に適用できる技術にてバリア性が良好な薄肉の多層容器を得ることを目的とするものである。
【課題を解決するための手段】
【００１１】
（請求項１に係る発明）
本発明は上記課題を考慮してなされたもので、カップ状容器の成形金型における容器胴部形成部分のキャビティ型側に、カップ状容器の胴部を回る大きさのガスバリア性を有するラベルフィルムを配し、前記成形金型の容器底部形成部分にノズルゲートを臨ませた射出成形ノズルにより樹脂を射出して、前記ラベルフィルムの容器内方側に樹脂を送り込んでラベルフィルムと樹脂とを一体とするインモールド成形により、カップ状にしてガスバリア性のある多層成形容器を製造するにあたり、
前記射出成形ノズルから成形金型の容器胴部形成部分に向けて容器表層用樹脂を送り込むときに、この容器表層用樹脂の送り込みと共に、ガスバリア性樹脂を、容器表層用樹脂でのコア型側に沿って広がる部分とキャビティ型側に沿って広がる部分との間の中間層部分であって前記ラベルフィルムの合わせ目に対応する位置に帯状にして送り込みをし、
前記容器胴部形成部分に向けたガスバリア性樹脂の送り込みをした後、射出成形ノズルから成形金型の容器底部形成部分に向けて容器表層用樹脂の送り込みと共に、前記ガスバリア性樹脂を、容器表層用樹脂での前記中間層部分であって面状にして送り込んで、
容器胴部におけるラベルフィルムの合わせ目の容器内方側に前記ガスバリア性樹脂からなる縦帯状のガスバリア層を備え、容器底部に前記縦帯状のガスバリア層に連続し面状のガスバリア層を備える容器を形成することを特徴とするカップ状容器の製造方法を提供して、上記課題を解消するものである。
【００１２】
（請求項２に係る発明）
また、本発明において、上記射出成形ノズルは、ノズルゲートを先端部としてバルブピンが移動可能に配されたピン通路を備え、
前記ピン通路には、ノズルゲートに近い最先端位置に上記容器表層用樹脂の第一の樹脂吐出口が臨むとともに、前記第一の樹脂吐出口よりノズルゲートとは反対側となる後方位置に容器表層用樹脂の第二の樹脂吐出口が臨み、前記容器表層用樹脂の二つの樹脂吐出口の間となる中間位置に上記ガスバリア性樹脂の樹脂吐出口が臨んでいて、前記バルブピンにより、前記容器表層用樹脂の二つの樹脂吐出口とガスバリア性樹脂の樹脂吐出口とにおける閉鎖と開放とが可能とされ、
バルブピンは、このバルブピンの外面にしてバルブピンの先端に及ぶ溝を有しているとともに、このバルブピンの外面に開口の連通孔からバルブピンの先端に位置する吐出口に亘る連通路を有しており、
バルブピンがノズルゲート閉鎖位置から後退し、バルブピンの前記溝がガスバリア性樹脂の樹脂吐出口に対応してこのガスバリア性樹脂の樹脂吐出口が溝を介して開放されるときに、バルブピンが前記第一の樹脂吐出口の後方に位置していてこの第一の樹脂吐出口が開放されるとともに、バルブピンの前記連通路の連通孔が前記第二の樹脂吐出口に対応していてこの第二の樹脂吐出口が開放されるように設けられていて、
前記第一の樹脂吐出口の開放で、第一の樹脂吐出口からの容器表層用樹脂が上記キャビティ型側に流れる樹脂流路が形成され、
前記溝によるガスバリア性樹脂の樹脂吐出口の開放で、ガスバリア性樹脂が前記溝に案内されて線状にして上記ラベルフィルムの合わせ目に対応する部分に流れる樹脂流路が形成され、
前記第二の樹脂吐出口の開放で、前記連通路に案内されて第二の樹脂吐出口からの容器表層用樹脂が上記コア型側に流れる樹脂流路が形成される構成と
することが可能である。
【００１３】
（請求項３に係る発明）
また、本発明において、上記射出成形ノズルのバルブピンを、ノズルゲート閉鎖位置から上記溝がガスバリア性樹脂の樹脂吐出口に対応する位置まで後退させて、上記第一の樹脂吐出口を開放し、上記第二の樹脂吐出口を上記連通路を介して開放し、前記ガスバリア性樹脂の樹脂吐出口を溝を介して開放して、第一の樹脂吐出口から上記キャビティ型側に向けての容器表層用樹脂の送り込みと、第二の樹脂吐出口から上記コア型側に向けての容器表層用樹脂の送り込みと、ガスバリア樹脂の樹脂吐出口から上記ラベルフィルムの合わせ目に対応する部分に向けての前記溝に案内されるガスバリア性樹脂の送り込みとを行なって、成形金型の容器胴部形成部分において、コア型側の容器表層用樹脂とキャビティ型側の容器表層用樹脂との間の中間層となる部分にあって、ラベルフィルムの合わせ目に対応する位置に前記ガスバリア性樹脂からなる縦帯状のガスバリア層を配した容器胴部を形成する第一ステップと、
前記第一ステップによる容器胴部形成部分に対応する樹脂量の送り込みが終了した後に、前記バルブピンを、溝がガスバリア樹脂の樹脂吐出口に対応している位置から第二の樹脂吐出口の後位に後退させて、第一の樹脂吐出口と上記第二の樹脂吐出口とを開放するとともに、前記ガスバリア性樹脂の樹脂吐出口を開放して、第一の樹脂吐出口からキャビティ型側に向けての容器表層用樹脂の送り込みと、第二の樹脂吐出口からコア型側に向けての容器表層用樹脂の送り込みと、ガスバリア樹脂の前記容器表層用樹脂二層の間への送り込みとを行なって、成形金型の容器底部形成部分において、コア型側の容器表層用樹脂とキャビティ型側の容器表層用樹脂との間の中間層となる部分に、前記ガスバリア性樹脂からなり前記縦帯状のガスバリア層に連続する面状のガスバリア層を配した容器底部を形成する第二ステップと、
成形金型の容器底部形成部分への樹脂の送り込みが終了した後に、バルブピンを前進させて第一、第二の樹脂吐出口と、ガスバリア樹脂の樹脂吐出口とをバルブピンにて閉鎖する第三のステップと
を経て、少なくとも三層の樹脂層からなる多層のカップ状容器を製造することが可能である。
【発明の効果】
【００１４】
（請求項１に係る発明の効果）
請求項１の発明によれば、カップ状容器の胴部を回る大きさのガスバリア性を有するラベルフィルムを、成形金型の容器胴部形成部分のキャビティ型側に配し、この成形金型に樹脂を送り込むときに、容器表層用樹脂の送り込みとガスバリア性樹脂の送り込みとを同時に行なうようにして（共射出）、そのガスバリア性樹脂は、ラベルフィルムの合わせ目に対応する位置に中間層として帯状にして送り込んで、カップ状容器の容器胴部におけるラベルフィルムの合わせ目の容器内方側にガスバリア性樹脂からなる縦帯状のガスバリア層を備えるようにしているので、ラベルフィルムの合わせ目が位置する部分でガスバリア性が確保される容器が得られるようになる。
【００１５】
また、製造されるカップ状容器にあっては、容器胴部の外周面にラベルフィルムが巻いた状態で位置し、そのラベルフィルムの合わせ目の部分の容器内方側にガスバリア層が形成されるものであるので、容器胴部でのガスバリア層自体に幅一定とするなどの条件が付加されるわけではなく、ガスバリア層の形成の自由度が高いものとなる。さらに、ラベルフィルムの合わせ目に対応する部分のみに中間層（ガスバリア層）を設けるので、中間層を容器全体に構成する必要がなく、容器の薄肉化が図り易くなる。
【００１６】
（請求項２に係る発明の効果）
請求項２の発明によれば、バルブピンの外面にバルブピンの先端に及ぶ溝を有していて、ガスバリア性樹脂の樹脂吐出口から送り出されるガスバリア性樹脂が前記溝でラベルフィルムの合わせ目側に向けて送り出されるようにしているので、ラベルフィルムの合わせ目に対応する部分に簡単にガスバリア層が形成できるようになる。また、バルブピンの外面形状が複雑なものとならず、メンテナンス性を高めることができる。
【００１７】
（請求項３に係る発明の効果）
請求項３の発明によれば、容器胴部のラベルフィルムの合わせ目に対応する縦帯状のガスバリア層と容器底部での面状のガスバリア層とを連続させて形成するので、容器胴部から容器底部にかけてのガスバリア性を良好なものとすることができる。
【図面の簡単な説明】
【００１８】
【図１】本発明に係るカップ状容器の製造方法の一例により製造されたカップ状容器を示す説明図である。
【図２】同じくカップ状容器を断面で示す説明図である。
【図３】ノズルピンを示す説明図である。
【図４】一例において樹脂送り込み前の成形金型と射出ノズルを概略的に示す説明図である。
【図５】一例において容器胴部形成部分への樹脂の送り込みを示すもので、（イ）は成形金型と射出ノズルを概略的に示す説明図、（ロ）はピン通路での樹脂流路を概略的に示す説明図である。
【図６】一例において容器底部形成部分にガスバリア樹脂を面状にして送り込むときの成形金型と射出ノズルを概略的に示す説明図である。
【図７】一例において樹脂送り込み終了時の成形金型と射出ノズルを概略的に示す説明図である。
【発明を実施するための形態】
【００１９】
（カップ状容器）
つぎに本発明を図１から図７に示す実施の形態に基づいて詳細に説明する。図１と図２は本発明により製造されるカップ状容器１を示していて、このカップ状容器１は下部から上部に向けて拡径されて上面が開放されている容器胴部２とこの容器胴部２の下部に位置する容器底部３とが一体となっているものである。
【００２０】
カップ状容器１の容器胴部２における外周面にはこの容器胴部２の周方向に亘ってガスバリア性を備えたラベルフィルム４が配置されており、後述するように巻いた状態のラベルフィルム４を成形金型に配して成形樹脂と一体となるようにインモールド成形法にて成形してなるものである。また、容器胴部２において前記ラベルフィルム４の端部同士を突き合わせたり重ね合わせたりしてなる合わせ目５に対応して容器内方側となる位置にして縦帯状のガスバリア層６が、容器胴部２の成形素材の内層として形成されている。
【００２１】
さらに、容器底部３においても前記縦帯状のガスバリア層６の辺部が連続する面状のガスバリア層７が、容器底部３の成形素材の内層として形成されており、この面状のガスバリア層７は容器底部３の全面を及ぶ範囲に亘って位置している。このようにカップ状容器１にあっては容器胴部２の外周面にガスバリア性を備えるラベルフィルム４を一体に配し、そのラベルフィルム４の合わせ目５に対応するようにして容器内方側に中間層として前記縦帯状のガスバリア層６が位置し、容器底部３においても面状のガスバリア層７が中間層として位置していて、このカップ状容器はガスバリア性を外面全面に備える容器としているものである。
【００２２】
（製造装置）
つぎに上記カップ状容器１を製造する装置について説明する。図３はカップ状容器を成形する射出成形装置の要部を概略的に示していて、カップ状容器１の成形金型８に、ホットランナーノズルタイプなととした射出成形ノズル９を連結して一体的に組み付け、図示していない射出成形機などの樹脂供給源から溶融樹脂を前記射出成形ノズル９に送り込むようにして射出成形装置を構成しており、この射出成形装置にてカップ状容器を、例えば複数個取りなどとして製造するようにしている。
【００２３】
成形金型８はコア型１０（可動型側）とキャビティ型１１（固定型側）とを組み合わせてなり、コア型１０とキャビティ型１１との間の容器形成部については容器胴部形成部分１２とこれに連続する容器底部形成部分１３とから構成されている。
【００２４】
（射出成形ノズル）
射出成形ノズル９はノズルゲート１４をキャビティ型１１での容器底部形成部分に臨ませて取り付けられている。この射出成形ノズル９は、ノズルゲート１４を先端部として、棒状のバルブピン１５が移動可能にして配されているピン通路１６を備えていて、前記ピン通路１６に、図示しない射出成形機からの容器表層用樹脂と、もう一つの射出成形機からのガスバリア性樹脂とが送り込まれ、そしてこのピン通路１６からノズルゲート１４を通して成形金型８側に前記容器表層用樹脂とガスバリア性樹脂とが送り込まれるようにしている。
【００２５】
図４に示されているように上記ピン通路１６には、ノズルゲート１４に近い最先端位置に、上記容器表層用樹脂をピン通路１６に送り込む第一の樹脂吐出口１７が臨んでいて、この第一の樹脂吐出口１７がピン通路１６の内周方向に亘って開口している。また、第一の樹脂吐出口１７よりノズルゲート１４とは反対側となる後方位置に、容器表層用樹脂をピン通路１６に送り込む第二の樹脂吐出口１８が臨み、ピン通路１６の周方向に亘って開口している。
【００２６】
第一の樹脂吐出口１７から送り込まれる容器表層用樹脂と第二の樹脂吐出口１８からの容器表層用樹脂とは同じ樹脂であり、一つの射出成形機から供給された同一の容器表層用樹脂が、図示しない分岐のランナーを経て第一、第二の樹脂吐出口１７、１８からピン通路１６に送り出されるようにしている。
【００２７】
また、第一の樹脂吐出口１７と第二の樹脂吐出口１８との間となる中間位置には、ガスバリア性樹脂をピン通路１６に送り込む第三の樹脂吐出口１９が臨んでいて、この第三の樹脂吐出口１９がピン通路１６の内周方向に亘って開口している。この第三の樹脂吐出口１９へは、もう一つ射出成形機からガスバリア性樹脂が供給されるもので、第一、第二の樹脂吐出口１７、１８に繋がるランナーとは別個のランナーを通ってガスバリア性樹脂がこの第三の樹脂吐出口１９に送られるようにしている。
【００２８】
（バルブピン）
上記バルブピン１５は、ピン通路１６を移動して第一、第二、第三の樹脂吐出口１７、１８、１９それぞれ開放と閉鎖とを行なうものである。また図３に示されているようにバルブピン１５は、このバルブピン１５の外面であってバルブピン１５の先端に達する溝２０がピン長さ方向にして設けられている。前記溝２０は、バルブピン１５が移動して溝２０が第三の樹脂吐出口１９に対応したときに、溝２０に対応している部分のみで第三の樹脂吐出口１９を開放して溝２０に沿って直線状にガスバリア性樹脂をノズルゲート側へ送り出すことができる。
【００２９】
また、バルブピン１５には、上記溝２０の後位にしてバルブピン１５の外面に開口した連通孔２１からバルブピン１５の先端の端面中央に開口した吐出口２２に亘る連通路２３が設けられている。この連通路２３は、バルブピン１５が移動して前記連通孔２１が第二の樹脂吐出口１８に対応したときに、この連通孔２１を通して第二の樹脂吐出口１８を開放して、その第二の樹脂吐出口１８の容器表層用樹脂を通し、ピン先端の吐出口２２からノズルゲート側へ送り出すことができるものである。
【００３０】
（カップ状容器の製造）
上記射出成形ノズル９により容器表層用樹脂とガスバリア性樹脂とを成形金型８に送り込んでカップ状容器１を成形する点について以下に説明する。
【００３１】
まず、ラベルフィルムの取付ステップとして成形金型８を開いて、キャビティ型１１における容器胴部形成部分１２にラベルフィルム４を取り付けて、その後に型閉じ、型締めが行なわれる。このときラベルフィルム４は、合わせ目５が容器胴部形成部分１２での予め定められた位置となるようにして取り付けられる。
【００３２】
（第一ステップ）
つぎに成形金型８の容器胴部形成部分１２に樹脂を送り込んで容器胴部を形成する第一ステップを行なう。この第一ステップでは、射出成形ノズル９から前記容器胴部形成部分１２に向けて容器表層用樹脂を送り込むときに、この容器表層用樹脂の送り込みとともにガスバリア性樹脂の送り込みが行われ、ガスバリア性樹脂については、容器表層用樹脂でのコア型１０側に沿って広がる部分とキャビティ型１１側に沿って広がる部分との間の中間層とし、ラベルフィルム４の合わせ目５に対応する位置に帯状にして送り込みをするものである。
【００３３】
図４は型締めが終了して樹脂の射出前の状態を示している。バルブピン１５はこのバルブピン１５の先端が成形金型８の容器底部形成部分に臨む状態となるノズルゲート閉鎖位置にあって、ノズルピン１５が第一の樹脂吐出口１７、第三の樹脂吐出口１９、第二の樹脂吐出口１８の全てを閉鎖している。まず、このノズルゲート閉鎖位置にあるバルブピン１５を成形金型とは反対側に移動させ、溝２０が第三の樹脂吐出口１９に対応する位置まで後退させる。
【００３４】
図５はバルブピン１５の上記溝２０が第三の樹脂吐出口１９に対応する位置まで後退した状態を示していて、図示されているように後退したバルブピン１５は、第一の樹脂吐出口１７を開放し、第二の樹脂吐出口１８を上記連通路２３を介して開放し、第三の樹脂吐出口１９を溝２０を介して部分的に開放する。
【００３５】
第一の樹脂吐出口１７からは容器表層用樹脂を容器胴部形成部分１２でのキャビティ型１１側に向けて送り込む樹脂流路２５が形成される。また、第二の樹脂吐出口１８からは容器表層用樹脂を容器胴部形成部分１２でのコア型１０側に向けて送り込む樹脂流路２６が形成される。さらに、第三の樹脂吐出口１９からはガスバリア性樹脂をラベルフィルム４の合わせ目５に対応する部分に向けて溝２０により案内して送り込む樹脂流路２７が形成される。
【００３６】
図５において（ロ）はピン通路１６での樹脂通路２５、２６、２７を示している。バルブピン１５の上記後退により容器表層用樹脂とガスバリア性樹脂とは共射出されて送り出されることになるが、図５（ロ）に示すように、バルブピン１５の連通路２３を介して送り出される容器表層用樹脂の樹脂通路２６はピン通路１６において中心にあり、最先端側にある第一の樹脂吐出口１７から送り出される容器表層用樹脂の樹脂通路２５はピン通路１６の内周面に沿う位置にあり、溝２０に案内されて送り出されるガスバリア性樹脂の樹脂通路２７は、キャビティ型側に通じる前記樹脂通路２６とコア型側に通じる前記樹脂通路２５の間であって樹脂送り出し方向に沿う直線状に形成される。
【００３７】
そして、射出成形ノズル９から上記樹脂通路２６を通って成形金型８に入る容器表層用樹脂は、コア型１０での容器底部形成部分１３を経て容器胴部形成部分１２に沿って広がるとともに、同じく射出ノズル９から樹脂通路２５を通って入る容器表層用樹脂は、キャビティ型１１での容器底部形成部分１３を経て容器胴部形成部分１２に入ると上記ラベルフィルム４の容器内方側に沿って広がる。さらに、上記樹脂通路２７を通って入るガスバリア性樹脂は、コア型側の容器表層用樹脂とギャビティ型側の容器表層用樹脂とに案内されながらサンドイッチ状に挟まれた状態で容器底部形成部分１３を経て容器胴部形成部分１２に入り、ラベルフィルム４の合わせ目５に対応する位置に到達し、ある程度の幅を持った縦帯状にして広がる。
【００３８】
この第一ステップで、容器胴部形成部分１２で容器表層用樹脂からなる表層二層２８、２８の間に中間層として縦帯状とされたガスバリア性樹脂からなるガスバリア層６が形成され、縦帯状にしてラベルフィルム４の合わせ目５に対応した位置にして形成される。そして、ラベルフィルム４とこのラベルフィルム４の裏面側である表層２８とが一体となる。
【００３９】
（第二ステップ）
上述のようにして容器胴部形成部分１２に対応した樹脂量の送り込みをする第一ステップが終了すれば、この第一ステップに連続して容器底部形成部分１３に対応した樹脂量の樹脂を送り込む第二ステップを行なう。この第二ステップでは、容器底部形成部分１３に向けて容器表層用樹脂の送り込みと共に、ガスバリア性樹脂を、容器表層用樹脂で記中間層部分であって面状にして送り込むものであり、容器底部に前記ガスバリア性樹脂からなる面状のガスバリア層を中間層として形成し、このガスバリア層を容器胴部の縦帯状のガスバリア層に連続するように設ける。
【００４０】
図６は容器底部の形成も同時に行なわれる状態を示していて、容器胴部形成部分に応じた樹脂量の送り込みが終了した後のこの第二ステップでは、容器底部を形成するために、上記溝２０が第三の樹脂吐出口１９に対応する状態にあった位置のバルブピン１５を、このバルブピン１５の先端が上記第二の樹脂吐出口１８の後位に後退させる。
【００４１】
バルブピン１５の先端が第二の樹脂吐出口１８の後位となる位置までバルブピン１５が後退することで、第一ステップにおいて開放状態にあった第一の樹脂吐出口１７が引き続いて開放される。また、第二の樹脂吐出口１８も開放された状態であり直接にしてピン通路１６に容器表層用樹脂の送り込みが行われる。さらに、第三の樹脂吐出口１９も第一ステップでの状態とは異なってバルブピン１５に規制されずに開放された状態となり、直接にしてピン通路１６にガスバリア性樹脂の送り込みが行われる。
【００４２】
上記全ての樹脂吐出口が開放されて樹脂の送り込みが行われ、ピン通路１６での樹脂通路の形態はつぎのようになる。即ち、最後位の第二の樹脂吐出口１８から送り出される容器表層用樹脂の樹脂通路２６はピン通路１６において中心にあり、最先端側にある第一の樹脂吐出口１７から送り出される容器表層用樹脂の樹脂通路２５はピン通路１６の内周面に沿う位置にある。そして第三の樹脂吐出口１９から送り出されるガスバリア性樹脂の樹脂通路２７は、キャビティ型側に通じる前記樹脂通路２６とコア型側に通じる前記樹脂通路２５の間に形成され、樹脂送り出しに直交する方向での通路形状については樹脂通路２５と同じように環状となるものである。
【００４３】
そして、射出成形ノズル９から樹脂通路２６を通って成形金型８に入る容器表層用樹脂は、コア型１０での容器底部形成部分１３に沿って広がるとともに、同じく射出ノズル９から樹脂通路２５を通って入る容器表層用樹脂は、キャビティ型１１での容器底部形成部分１３に沿って広がる。さらに、樹脂通路２７を通って入るガスバリア性樹脂は、コア型側の容器表層用樹脂とギャビティ型側の容器表層用樹脂とに案内されながらサンドイッチ状に挟まれた状態で容器底部形成部分１３に入り中間層として面状に広がり、このガスバリア性樹脂による中間層が容器底部形成部分１３の全体に及ぶ範囲となるように設けられている。
【００４４】
容器底部形成部分１３に樹脂が行き渡ったときに第二ステップが終了する。第二ステップにて容器底部形成部分１３に樹脂が行き渡ったときには上記第一ステップで送り込まれていた容器表層用樹脂とガスバリア性樹脂との樹脂も容器胴部形成部分１２に行き渡っていて、上記合わせ目５に対応する位置にして中間層としての縦帯状のガスバリア層６が形成される。この第二ステップでは、容器底部形成部分１３で容器表層用樹脂からなる表層二層２８、２８の間に中間層として形成されるガスバリア性樹脂からなる面状のガスバリア層７は、容器胴部形成部分１２で縦帯状とされたガスバリア層６と連続しているものとなる。
【００４５】
（第三ステップ）
成形金型の容器底部形成部分１３に対応した樹脂量の樹脂の送り込みをして容器底部を形成する第二ステップが終了すると第三ステップに移行する。図７に示されているようにこの第三ステップでは、先端が上記第二の樹脂吐出口１８の後位に位置させていたバルブピン１５を前進させる。そして、先端が上記ノズルゲート１４の位置となった時点で停止させ、この状態で第一の樹脂吐出口１７と第三の樹脂吐出口１９と第二の樹脂吐出口１８との全樹脂吐出口の閉鎖がバルブピン１５により行なわれ、容器表層用樹脂とガスバリア性樹脂との成形金型への送り込みが停止する。
【００４６】
第三ステップにおいて樹脂の送り込みを停止してから成形金型８側での型締め状態を所定時間確保することでこの第三ステップが終了する。そして型開きをしてカップ状容器を取り出す。このカップ状容器１にあっては、容器胴部２の外周面にガスバリア性を有するラベルフィルム４を一体にして備える。また、ラベルフィルム４の合わせ目５に対応するようにして容器内方側の中間層として縦帯状のガスバリア層６が形成され、容器底部３については中間層として面状のガスバリア層７が形成されており、容器胴部２での前記ガスバリア層６と容器底部３でのガスバリア層７とが連続した状態となっているものである。
【００４７】
なお、容器胴部形成部分１２に対応する樹脂量と容器底部形成部分１３に対応する樹脂量との割合を変化させることで、容器底部での中間層であるガスバリア層の外周高さ位置を変化させる調整が可能である。
【符号の説明】
【００４８】
１…カップ状容器
２…容器胴部
３…容器底部
４…ラベルフィルム
５…ラベルフィルムの合わせ目
６、７…ガスバリア層
８…成形金型
９…射出成形ノズル
１０…コア型
１１…キャビティ型
１２…容器胴部形成部分
１３…容器底部形成部分
１４…ノズルゲート
１５…バルブピン
１６…ピン通路
１７…第一の樹脂吐出口
１８…第二の樹脂吐出口
１９…第三の樹脂吐出口
２０…溝
２１…連通孔
２２…吐出口
２３…連通路
２５、２６，２７…樹脂流路
２８…表層
【図１】
2016215538.tif 000003
【図２】
2016215538.tif 000004
【図３】
2016215538.tif 000005
【図４】
2016215538.tif 000006
【図５】
2016215538.tif 000007
【図６】
2016215538.tif 000008
【図７】
2016215538.tif 000009